(57)【特許請求の範囲】
【請求項１】
第１音声信号出力モジュールと、
第２音声信号出力モジュールと、
前記第１音声信号出力モジュールと前記第２音声信号出力モジュールとが接続されたヘッドモジュールと、からなり、
前記ヘッドモジュールの両側には前記第１音声信号モジュールと前記第２音声信号モジュールとがそれぞれ配置され、
前記ヘッドモジュールは少なくとも使用形態と収納形態とを有し、前記ヘッドモジュールが前記使用形態にある時湾曲状態を維持し、ヘッドモジュールが前記収納形態にある時平直状態を維持することを特徴とするヘッドホン。
【請求項２】
前記ヘッドモジュールはさらに弾性金属片を有することを特徴とする請求項１に記載のヘッドホン。
【請求項３】
前記弾性金属片の材質は鋼板であり、前記弾性金属片は本来の状態では前記湾曲状態又は前記平直状態を保つことを特徴とする請求項２に記載のヘッドホン。
【請求項４】
前記弾性金属片の中間位置にあって前記弾性金属片を包囲する緩衝モジュールをさらに有し、
前記緩衝モジュールの内部は形状回復機能を有する材質で構成され、前記緩衝モジュールの外部はプレート状の軟性材質で被覆され、下方は何度も貼り直しが可能な素材で構成されることを特徴とする請求項２に記載のヘッドホン。
【請求項５】
前記第１音声信号出力モジュールと前記第２音声信号出力モジュールとは、さらにそれぞれ第１凹点と第２凹点とを有し、前記ヘッドモジュールの弾性金属片は複数個の第１凸点と複数個の第２凸点とを有し、どの前記第１凸点と前記第１凹点とであっても係合ができ、また、どの前記第２凸点と前記第２凹点とであっても係合ができ、前記ヘッドホンが収納状態にある場合、緩衝モジュールに最も近傍する前記ヘッドモジュールの弾性金属片の第１凸点と第２凸点とはそれぞれ前記第１凹点と前記第２凹点とで相互に係合することを特徴とする請求項２に記載のヘッドホン。
【請求項６】
さらにイヤホンワイヤと音声信号アダプタとを有し、前記イヤホンワイヤはそれぞれ前記第１音声信号出力モジュール、前記第２音声信号出力モジュール、及び前記音声信号アダプタに接続され、前記音声信号アダプタは電子装置に接続されて、前記電子装置からの音声信号を受信すると共に、前記イヤホンワイヤにより前記音声信号を前記第１音声信号出力モジュールと前記第２音声信号出力モジュールとに伝送することを特徴とする請求項１に記載のヘッドホン。
【請求項７】
前記ヘッドモジュールはさらに緩衝モジュールを有し、前記緩衝モジュールはプレート状の構造でベルクロ・テープを備え、前記弾性金属片を被覆した上で、前記ベルクロ・テープで前記緩衝モジュールに接着することを特徴とする請求項２に記載のヘッドホン。
【請求項８】
さらに前記イヤホンワイヤに電気的に接続された音声信号入力モジュールを有し、前記音声信号入力モジュールは音波信号を受信して電子信号に変換し、前記イヤホンワイヤと前記音声信号アダプタとで前記電子信号を前記電子装置に伝送することを特徴とする請求項６に記載のヘッドホン。
【請求項９】
さらに無線受信モジュールとイヤホンワイヤとを有し、前記無線受信モジュールは前記第１音声信号出力モジュールに無線で接続され、前記イヤホンワイヤは前記第１音声信号出力モジュールと前記第２音声信号出力モジュールとに接続され、前記無線受信モジュールは電子装置からの無線信号を受信し、且つ前記無線信号を音声信号に変換して第１音声信号出力モジュールに伝送すると共に、前記イヤホンワイヤで前記第２音声信号出力モジュールに伝送することを特徴とする請求項１に記載のヘッドホン。
【発明の詳細な説明】
【技術分野】
【０００１】
本発明はイヤホンに関する。より、詳しくは收納体積の減少が可能なヘッドホンに関する。
【背景技術】
【０００２】
現在のイヤホンの種類は、外形で区分した場合、おおまかにヘッドホンタイプ、イヤプラグタイプ、及び耳掛けタイプの３種類に区分される。
【０００３】
ヘッドホンは通常、付随する軟らかい音楽用パッドで耳全体を包み込む。耳とイヤホンで密封された構造を形成するため、音楽を放送する機能が非常に優れ、しかもヘッドホンは十分頑丈に作られているので、耐衝撃性が強い。然しながら、欠点は体積が大きく、形態が固定されて変更できないため、ユーザは携帯に不便である。従って、家やオフィスといった固定された位置での使用に適している。
【０００４】
イヤプラグタイプのイヤホンは音声出力の部分を直接耳に詰め込むので、この種のイヤホンの最大の長所は体積が小さく、携帯し易く、各種携帯型の電子装置（例：携帯型の音楽テープ再生機、携帯電話）に組み合わせるタイプであるが、欠点は外部の音声に妨害され易く、音声を聞き取る効果に影響する。
【０００５】
耳掛けタイプはヘッドホンタイプとイヤプラグタイプのイヤホンとの間にあるイヤホンで、体積はイヤプラグタイプのイヤホンより若干大きく、イヤホンの出力装置は耳に掛けられ、イヤホンの出力装置と耳の間に密封されたチャネルを形成するものの、その効果はやはりヘッドホンタイプのイヤホンに及ばない。
【先行技術文献】
【特許文献】
【０００６】
【特許文献１】台湾特許第３２０２７１号
【０００７】
然しながら、音質にこだわるユーザにとっては、ヘッドホンがベストの選択であるものの、目下のところヘッドホンは継ぎ目で調整するしかなく、しかも体積が大きく、形が固定していて携帯し難い欠点があり、ユーザが非常に困惑しているのは確かである。
【０００８】
そこで、本発明者は上記の欠点が改善可能と考え、鋭意検討を重ねた結果、合理の設計で上記の課題を改善する本考案の提案に到った。
【発明の概要】
【０００９】
本発明は、このような従来の問題に鑑みてなされたものである。上記課題解決のため本発明は、公知のヘッドホンの体積が過大で形が固定していることにより、携帯し難い問題の解決が可能なヘッドホンを提供することを主目的とする。
【課題を解決するための手段】
【００１０】
上記課題を解決して目的を達成するために、本発明に係るヘッドホンは、
第１音声信号出力モジュールと、
第２音声信号出力モジュールと、
前記第１音声信号出力モジュールと前記第２音声信号出力モジュールを接続して、前記第１音声信号モジュールと前記第２音声信号モジュールがそれぞれ前記ヘッドモジュールの両側にあるヘッドモジュールと、からなり、前記ヘッドモジュールには少なくとも使用形態と収納形態があり、前記ヘッドモジュールが前記使用形態にある時湾曲状態を維持し、ヘッドモジュールが前記収納形態にある時平直状態を維持することを特徴とする。
【００１１】
このヘッドモジュールには少なくとも使用形態と収納形態があり、ヘッドモジュールが使用形態にある時、ユーザは容易に２つの音声信号モジュールを適当な位置に置いて、音声信号を受信することが可能であり、また、ヘッドモジュールが収納形態にある時、ユーザはヘッドモジュールを伸直して、ヘッドモジュールの一部を第１音声信号モジュールと第２音声信号モジュール内に縮入して、ヘッドホン全体が小さな収納体積となって、ユーザが収納したり携帯したりするのに便利である。
【００１２】
本発明のヘッドホンは弾性金属片を有するヘッドモジュールさらに備える。この弾性金属片の材質は強靭性を備えた鋼材の選択が可能であって、この弾性金属片の形状は少なくとも湾曲状態や平直状態に変更が可能であり、ヘッドホン装置が使用形態にある時、この弾性金属片は湾曲状態にあり、また、ヘッドモジュールが収納形態にある時、弾性金属片は平直状態にある。この弾性金属片の湾曲状態はユーザの頭の形により設定可能である。
【００１３】
本発明は別途無線ヘッドホンを提示しており、上記の第1音声信号出力モジュール、第２音声信号出力モジュール、及びヘッドモジュールのほかに、さらに無線受信モジュールとイヤホンワイヤからなる。音量調節モジュールは第1音声信号出力モジュールに電気的に接続され、イヤホンワイヤは第1音声信号出力装置と第２音声信号出力装置に接続され、無線受信モジュールは電子装置からの無線信号を受信し、無線信号を音声信号に変換した後、第1音声信号出力モジュールに伝送して、イヤホンワイヤで第２音声信号出力モジュールに伝送する。
【発明の効果】
【００１４】
本発明によると、ヘッドモジュールが収納形態にある時、ユーザはヘッドモジュールを伸直して、ヘッドモジュールの一部を第１音声信号モジュールと第２音声信号モジュール内に縮入して、ヘッドホンの形態をいつでも変更することができ、小さな収納体積となり、ユーザが収納したり携帯したりするのに便利である。
【図面の簡単な説明】
【００１５】
【図１】本発明の一実施形態におけるヘッドホンモジュールの使用状態の概略図である。
【図２】本発明の一実施形態におけるヘッドホンモジュールの収納状態の概略図である。
【図３Ａ】本発明の一実施形態におけるヘッドホンモジュールの音声信号出力モジュールの構造の概略図である。
【図３Ｂ】本発明の一実施形態におけるヘッドホンモジュールの音声信号出力モジュールの構造の概略図である。
【図３Ｃ】本発明の一実施形態におけるヘッドホンモジュールの音声信号出力モジュールの構造の概略図である。
【図４】本発明の別の実施形態におけるヘッドホンモジュールの使用状態の概略図である。
【図５】本発明の別の実施形態におけるヘッドホンモジュールの収納状態の概略図である。
【発明を実施するための形態】
【００１６】
以下に図面を参照して本発明を実施するための形態について、詳細に説明する。なお、本発明は、以下に説明する実施形態に限定されるものではない。
［第１実施形態］
まず、本発明のヘッドホンの第１実施形態について説明する。
本発明の第１実施形態の構成を図１から図３Ｃに示す。図１は、本発明の一実施形態におけるヘッドホン１０である。本実施形態のヘッドホン１０は、ヘッドモジュール１００、第１音声信号出力モジュール１１０、第２音声信号出力モジュール１２０、イヤホンワイヤ１３０、音声信号アダプタ１４０、音声信号入力モジュール１５０、及び音量調節モジュール１６０からなる。
【００１７】
ヘッドモジュール１００はさらに弾性金属片１０１を有する。本実施形態の弾性金属片１０１は強靭性を備えたステンレス材質のプレート状でよいが、これに限定されず、当業者は如何様にも適合する変形能力を備えた金属材料の選択が可能で、実際の設計ニーズに応じて弾性金属片１０１の厚みや長さ等のサイズ規格を変更することができる。
【００１８】
本実施形態の弾性金属片１０１は本来の状態は平直状態にあり、力を受けて変形すると湾曲状態を保ったままであることも可能だが、ヘッドモジュール１００全体の形状はこの弾性金属片１０１によって決まる。
【００１９】
また、この弾性金属片１０１の両端はそれぞれ複数個の第１凸点１０３と複数個の第２凸点１０４を有する。これらの第１凸点１０３と第２凸点１０４はそれぞれ第１音声信号出力モジュール１１０、第２音声信号出力モジュール１２０に設けられた第１凹点１１１と第２凹点１２１と適合して係合し、ヘッドモジュール１００、第１音声信号出力モジュール１１０、第２音声信号出力モジュール１２０は特定の使用位置や収納位置に固定可能である。
【００２０】
従って、ユーザが本発明のヘッドホン１０で音楽を聴こうとする場合、ユーザが弾性金属片１０１に力を加えると、ヘッドモジュール１００は力を受けて湾曲し、ヘッドモジュール１００が湾曲した使用状態となる。弾性金属片１０１が湾曲する程度はユーザの頭の形に適合可能で、ヘッドホン１０全体を容易で気楽にユーザの頭上に乗せることができる。
【００２１】
また、本実施形態で開示されたヘッドホン１０は、音声信号入力モジュール１５０と音量調節モジュール１６０とを備える。音声信号入力モジュール１５０は第１音声信号入力モジュール１１０と互いに接続され、イヤホンワイヤ１３０とも接続可能なため、ハンズフリーの電話やスカイプ（登録商標）のインターネット電話等のように、音声信号入力モジュール１５０はユーザの音声（即ち音波信号）を電子信号に変換した後、イヤホンワイヤ１３０と音声信号アダプタ１４０で電子装置に入力する。音声信号入力モジュール１５０を備えたヘッドホン１０によって、ユーザはこうしたヘッドホン１０を双方向タイプに応用して一層便利に使用できる。
【００２２】
本実施形態で開示された音量調節モジュール１６０の目的は、ユーザが電子装置内の複雜な調整インターフェイスを使用することなく、直接音量調節モジュール１６０により、ヘッドホン１０の出力音量の調整を可能としたことである。音声信号入力モジュール１５０と音量調節モジュール１６０の設計は既存のイヤホンでは極めてありふれていることから、ここではこれ以上説明しない。
【００２３】
図２は本実施形態におけるヘッドホン１０のヘッドモジュール１００であり、さらに緩衝モジュール１０２を備える。この緩衝モジュール１０２は弾性金属片１０１の中間位置にあって弾性金属片１０１を包囲し、この緩衝モジュール１０２の内部は発泡体のような柔軟で形状回復機能を備えた材質で構成される。緩衝モジュール１０２の外部はプラスチックや合成繊維のようなプレート状の軟性材質で被覆されており、下方は図示されていないベルクロ・テープやベルクロ・テープと接着したパッド等の何度も貼り直しが可能な材質で構成される。このベルクロ・テープやそのパッドの主な機能は、弾性金属片１０１が伸直状態にある時、ユーザはイヤホンワイヤ１３０の一部、音声信号アダプタ１４０、音声信号入力モジュール１５０、及び音量調節モジュール１６０をベルクロ・テープやそのパッド内に収納可能なことである。
【００２４】
さらに第１凸点１０３と第２凸点１０４がそれぞれ第１凹点１１１と第２凹点１２１に適合して係合する状況を解釈するために、図３Ａ、図３Ｂ、及び図３Ｃでは本発明の有線ヘッドホンモジュールの音声信号出力モジュールの詳細な構造の概略図を示している。第１音声信号出力モジュール１１０、第２音声信号出力モジュール１２０、及びヘッドモジュール１００の接続方法は同じであることから、ここでは第２音声信号出力モジュール１２０とヘッドモジュール１００の弾性金属片１０１の接続方法を実施形態とし、第１音声信号出力モジュール１１０の状況はこれ以上説明しない。
【００２５】
図３Ａから図３Ｃでは、弾性金属片１０１の一端に複数個の凸点１０４を有し、緩衝モジュール１０２に最も近傍するのは凸点１０４１であり、その次が凸点１０４２、凸点１０４３で、このように類推すると、弾性金属片１０１の終点に最も近傍するのは凸点１０４ｎで、ｎは１より大きい任意の正の整数でよい。
【００２６】
図３Ａによると、ユーザが本発明のヘッドホン１０を収納しようとする場合、力を加えて弾性金属片１０１を変形させれば、ヘッドモジュール１００は本来の状態は伸直した収納状態にある。また、ユーザは第１音声信号出力モジュール１１０、第２音声信号出力モジュール１２０、及び弾性金属片１０１の相対的な位置を調整することができ、緩衝モジュール１０２に最も近傍する弾性金属片１０１の凸点１０４１と第２凹点１２１とが相互に係合し、この方法はヘッドモジュール１００の弾性金属片１０１を第２音声信号出力モジュール１２０に出来る限り収納でき、ヘッドホン１０の収納体積が極力減少する。
【００２７】
図３Ｂによると、ユーザが本発明のヘッドホン１０を使用しようとする場合、力を加えて弾性金属片１０１を湾曲させると、ヘッドモジュール１００は本来の状態は使用状態にある。この場合、ユーザは頭の形や使用習慣に応じて、弾性金属片１０１の１つの凸点１０４ｉと第２凹点１２１を係合させることができるが、ｉは１からｎの間の正の整数であり、ヘッドモジュール１００全体が第１音声信号出力モジュール１１０、第２音声信号出力モジュール１２０から露出した長さが、ユーザが本発明のヘッドホン１０を載せるのに適する。
【００２８】
図３Ｃによると、凸点１０４ｎの外側にさらに１つの保護性凸点１０４ｓがあり、ユーザが弾性金属片１０１の終点に最も近傍する凸点１０４ｎと第２凹点１２１が係合した後、さらに、ヘッドモジュール１００全体が第１音声信号出力モジュール１１０、第２音声信号出力モジュール１２０から露出する長さをユーザが伸ばそうとすると、このとき保護性凸点１０４ｓがヘッドモジュール１００から露出した長さが伸びるのを阻止して、弾性金属片１０１全体と第２音声信号出力モジュール１２０が剥離してヘッドホン１０全体が損傷するのを防止する。
【００２９】
［第２実施形態］
次に、本発明のヘッドホンの第２実施形態について説明する。
図４は本発明の別の実施形態におけるヘッドホン２０である。本実施形態のヘッドホン２０は無線伝送方式で音声信号を出力し、ヘッドホン装置２００、第１音声信号出力モジュール２１０、第２音声信号出力モジュール２２０、イヤホンワイヤ２３０、接続モジュール２４０、音声信号入力モジュール２５０、音量調節モジュール２６０、及び無線信号受信モジュール２７０からなる。
【００３０】
本実施形態のヘッドホン装置２００は弾性金属片２０１と緩衝モジュール２０２を備え、弾性金属片２０１は複数個の第１凸点及第２凸点を有し、それぞれ第１音声信号出力モジュール２１０の第１凹点２２１と第２音声信号出力モジュール２２０の第２凹点２３１と適合して係合し、ヘッドモジュール２００が第１音声信号出力モジュール２１０、第２音声信号出力モジュール２２０から露出する長さを調整する。
【００３１】
前実施形態との相違点は、無線ヘッドホンイヤホン２０が無線信号受信モジュール２７０で電子装置からの電子信号を受信して電子信号を無線ＲＦ信号に変換すると共に、第１音声信号出力モジュール２１０と第２音声信号出力モジュール２２０に伝送する。第１音声信号出力モジュール２１０と第２音声信号出力モジュール２２０は信号処理モジュール（図示せず）を内蔵し、無線信号受信モジュール２７０が受信した無線ＲＦ信号を音声信号に変換してユーザの耳に出力することができる。
【００３２】
また、設計者はイヤホンワイヤで第１音声信号出力モジュール２１０と第２音声信号出力モジュール２２０を接続することも可能で、この場合、第１音声信号出力モジュール２１０内に信号処理モジュール（図示せず）を設けるだけで、無線信号受信モジュール２７０から伝送された無線ＲＦ信号を音声信号に変換して、音声信号をイヤホンワイヤで第２音声信号出力モジュール２２０に伝送する。
【００３３】
本実施形態に開示された無線ヘッドホンイヤホン２０は音声信号入力モジュール２５０、音量調節モジュール２６０を備えることも可能であり、この２つの部材の主な作用は前実施形態における音声信号入力モジュール１５０と音量調節モジュール１６０と同じにつき、ここではこれ以上説明しない。本実施形態で、第２音声信号出力モジュール２２０に縮入が可能な１つの接続モジュール２４０で、音声信号入力モジュール１５０と音量調節モジュール１６０を無線ヘッドホンイヤホン２０に接続したことは特筆に値する。
【００３４】
無線ヘッドホンイヤホン２０が使用状態にある時、接続モジュール２４０は湾曲して伸ばすことが可能である。音声信号入力モジュール２５０をユーザの唇に近づけると、ユーザの音声受信に便利である。音量調節モジュール２６０は音声信号入力モジュール２５０の下方に設計され、ユーザが第１音声信号出力モジュール２１０と第２音声信号出力モジュール２２０の出力音量を調整するのに便利である。
【００３５】
図５によると、本実施形態に開示された無線ヘッドホンイヤホン２０が収納状態にある時、接続モジュール２４０を伸直した後、第１音声信号出力モジュール２１０内に縮入させることができる。ユーザが緩衝モジュール２０２に最も近傍する弾性金属片２０１の凸点２０３１と凸点２０４１を、それぞれ第１凹点２１１及び第２凹点２２１と相互に係合させると、この方法ではヘッドモジュール２００の弾性金属片２０１が第１音声信号出力モジュール２１０と第２音声信号出力モジュール２２０に出来る限り収納可能となって、ヘッドホン２０の収納体積が極力減少する。
【００３６】
本発明のヘッドホンは本実施形態に開示された形態に限定されず、当業者は実際の設計ニーズや使用ニーズに応じて、本発明のヘッドホンを変更することが可能である。
【００３７】
上記の本発明に係るヘッドモジュールが収納形態にある時、ユーザは力を加えて弾性金属片予を伸直させると、本発明のヘッドモジュールが本来の状態では収納形態を保ち、ヘッドモジュールの一部を第１音声信号モジュールと第２音声信号モジュール内に縮入させることができる。本発明のヘッドホンは使用ニーズに応じてその形態の変更が可能で、ヘッドホン全体の収納体積が小さくなり、ユーザが収納したり携帯したりするのに便利である。
【００３８】
以上、本発明の実施形態について図面を参照して詳述したが、具体的な構成はこの実施形態に限られるものではなく、本発明の要旨を逸脱しない範囲の設計変更等も含まれる。
【符号の説明】
【００３９】
１０  …  ヘッドホン
１００  …  ヘッドモジュール
１０１  …  弾性金属片
１０２  …  緩衝モジュール
１０３  …  第1凸点
１０４  …  第２凸点
１０４１〜１０４３  …  凸点
１０４ｎ  …  凸点
１０４ｉ  …  凸点
１０４ｓ  …  保護性凸点
１１１  …  第１凹点
１２１  …  第２凹点
１１０、２１０  …  第1音声信号出力モジュール
１２０、２２０  …  第２音声信号出力モジュール
１３０  …  イヤホンワイヤ
１４０  …  音声信号アダプタ
１５０  …  音声信号入力モジュール
１６０  …  音量調節モジュール 
２０  …  ヘッドホンモジュール
２００  …  ヘッドホン装置
２０１  …  弾性金属片
２０２  …  緩衝モジュール
２０３１、２０４１  …  凸点
２１１  …  第１凹点
２２１  …  第２凹点
２４０  …  接続モジュール
２５０  …  音声信号入力モジュール
２６０  …  音量調節モジュール
２７０  …  無線信号受信モジュール
【要約】      （修正有）【課題】收納体積の減少が可能なヘッドホンを提供する。【解決手段】第１音声信号出力モジュール１１０、第２音声信号出力モジュール１２０、及びヘッドモジュール１００からなり、前記第１音声信号出力モジュールと第２音声信号出力モジュールを接続し、且つ前記第１音声信号モジュールと第２音声信号モジュールはそれぞれヘッドモジュールの両側にある。このヘッドモジュールには使用形態と収納形態があり、ヘッドモジュールが使用形態にある時、ユーザは容易に２つの音声信号出力モジュールを適当な位置に置くことができ、ヘッドモジュールが収納形態にある時、ユーザはヘッドモジュールを伸直することができ、ヘッドモジュールの一部を２つの音声信号モジュール内に縮入させることで、ヘッドホン１０の収納体積が小さくなる。【選択図】図２【図１】
0005606584.tif 000002
【図２】
0005606584.tif 000003
【図３Ａ】
0005606584.tif 000004
【図３Ｂ】
0005606584.tif 000005
【図３Ｃ】
0005606584.tif 000006
【図４】
0005606584.tif 000007
【図５】
0005606584.tif 000008